(57)【要約】【課題】  データ駆動部から出力されるデータ電流の範囲を調節することができるようにする。【解決手段】  データ駆動部２００を，水平クロック信号ＨＣＬＫ及び水平同期信号ＨＳＹＮＣに対応してラッチ制御信号を出力するシフトレジスター２１０と，ラッチ制御信号に基づいて順次入力されるビデオデータＤａｔａを並列に出力するデータラッチ２２０と，データラッチの出力をアナログ電流Ｉｄａｃに変換して出力するＤ／Ａ変換器２３０と，Ｄ／Ａ変換器から出力される電流Ｉｄａｃの範囲を電流範囲制御信号Ｃｔｒｌに応じて調節してデータ電流Ｉｄａｔａとして出力する電流範囲制御回路２４０とを含むように構成した。【選択図】    図２
2006146170.tif 000002
【特許請求の範囲】
【請求項１】
水平クロック信号及び水平同期信号に対応してラッチ制御信号を出力するシフトレジスターと，
前記ラッチ制御信号に基づいて順次入力されるビデオデータを並列に出力するデータラッチと，
前記データラッチの出力をアナログ電流に変換して出力するＤ／Ａ変換器と，
前記Ｄ／Ａ変換器から出力される電流の範囲を電流範囲制御信号に応じて調節してデータ電流として出力する電流範囲制御回路と，
を含むことを特徴とするデータ駆動部。
【請求項２】
前記データ電流の値は，前記Ｄ／Ａ変換器から出力される電流値と比例し，その比例定数は前記電流範囲制御信号によって決定されることを特徴とする請求項１に記載のデータ駆動部。
【請求項３】
前記電流範囲制御回路は，
第１トランジスタ及び前記第１トランジスタとミラー型に接続される複数の第２トランジスタを含むミラー回路と，
前記複数の第２トランジスタのドレインから出力される電流を前記電流範囲制御信号に応じて選択的に伝達し，伝達された前記電流を合算して前記データ電流として出力するスイッチング回路とを含むことを特徴とする請求項１に記載のデータ駆動部。
【請求項４】
前記電流範囲制御回路は，
負帰還ループを形成することによって前記第１トランジスタのドレイン電圧と前記複数の第２トランジスタのドレイン電圧を一致させる負帰還回路を更に含むことを特徴とする請求項３に記載のデータ駆動部。
【請求項５】
前記負帰還回路は，
前記複数の第２トランジスタに各ソースがそれぞれ接続され，前記スイッチング回路に各ドレインがそれぞれ接続されて，前記複数の第２トランジスタから出力される電流を前記スイッチング回路に伝達する複数の第３トランジスタと，
正の入力端が前記第１トランジスタのドレインに接続され，負の入力端が前記複数の第２トランジスタのいずれか一つのドレインに接続され，出力端が前記複数の第３トランジスタのゲートに接続された演算増幅器を含むことを特徴とする請求項４に記載のデータ駆動部。
【請求項６】
前記負帰還回路は，
前記演算増幅器の出力端と負の入力端との間に接続されるキャパシタを更に含むことを特徴とする請求項５に記載のデータ駆動部。
【請求項７】
前記第１トランジスタのドレインには前記Ｄ／Ａ変換器から出力される電流が印加され，
前記第１トランジスタのドレインとゲートは電気的に接続され，
前記複数の第２トランジスタの各ゲートは，前記第１トランジスタのゲートに電気的に接続され，
前記複数の第２トランジスタの各ソースは，前記第１トランジスタのソースに電気的に接続されることを特徴とする請求項３に記載のデータ駆動部。
【請求項８】
前記スイッチング回路は複数の第４トランジスタを含み，
前記複数の第４トランジスタの各ソースには，前記複数の第２トランジスタのドレインから出力される電流がそれぞれ印加され，
前記複数の第４トランジスタの各ゲートには，前記電流範囲制御信号がそれぞれ印加され，
前記複数の第４トランジスタの各ドレインは，相互に接続されて前記データ電流を出力することを特徴とする請求項３に記載のデータ駆動部。
【請求項９】
前記スイッチング回路は複数の第４トランジスタを含み，
前記複数の第４トランジスタの各ソースには，前記複数の第２トランジスタのドレインから出力される電流がそれぞれ印加され，
前記複数の第４トランジスタのいずれか一つは，オンの状態となるようにゲートに所定の電圧が印加され，
前記複数の第４トランジスタの前記いずれか一つ以外のトランジスタの各ゲートには，前記電流範囲制御信号がそれぞれ印加され，
前記複数の第４トランジスタの各ドレインは，相互に接続されて前記データ電流を出力することを特徴とする請求項３に記載のデータ駆動部。
【請求項１０】
複数の走査線に走査信号を順次印加する走査駆動部と，
複数のデータ線に，電流範囲制御信号に応じてその範囲が調節されたデータ電流を印加するデータ駆動部と，
前記複数の走査線に印加された走査信号及び前記複数のデータ線に印加されたデータ電流によって画像を表示する画像表示部と，
を含むことを特徴とする発光表示装置。
【請求項１１】
走査駆動部制御信号を前記走査駆動部に伝達し，データ駆動部制御信号及びビデオデータを前記データ駆動部に伝達するタイミング制御部を更に含むことを特徴とする請求項１０に記載の発光表示装置。
【請求項１２】
前記データ駆動部は，請求項１〜９のいずれか１項に記載のデータ駆動部であることを特徴とする請求項１０に記載の発光表示装置。
【請求項１３】
第１トランジスタ及び前記第１トランジスタとミラー型に接続される複数の第２トランジスタを含むミラー回路と，
前記複数の第２トランジスタのドレインから出力される電流を前記電流範囲制御信号に応じて選択的に伝達し，伝達された前記電流を合算してデータ電流として出力するスイッチング回路と，
を含むことを特徴とする電流範囲制御回路。
【請求項１４】
負帰還ループを形成することによって前記第１トランジスタのドレイン電圧と前記複数の第２トランジスタのドレイン電圧を一致させる負帰還回路を更に含むことを特徴とする請求項１３に記載の電流範囲制御回路。
【請求項１５】
前記負帰還回路は，
前記複数の第２トランジスタに各ソースがそれぞれ接続され，前記スイッチング回路に各ドレインがそれぞれ接続されて，前記複数の第２トランジスタから出力される電流を前記スイッチング回路に伝達する複数の第３トランジスタと，
正の入力端が前記第１トランジスタのドレインに接続され，負の入力端が前記複数の第２トランジスタのいずれか一つのドレインに接続され，出力端が前記複数の第３トランジスタのゲートに接続された演算増幅器とを含むことを特徴とする請求項１４に記載の電流範囲制御回路。
【請求項１６】
前記負帰還回路は，
前記演算増幅器の出力端と負の入力端との間に接続されるキャパシタを更に含むことを特徴とする請求項１５に記載の電流範囲制御回路。
【請求項１７】
前記複数の第３トランジスタのチャンネル幅はすべて同一であり，前記複数の第３トランジスタのチャンネル長さはすべて同一であることを特徴とする請求項１５に記載の電流範囲制御回路。
【請求項１８】
前記第１トランジスタのドレインには前記Ｄ／Ａ変換器から出力される電流が印加され，
前記第１トランジスタのドレインとゲートは電気的に接続され，
前記複数の第２トランジスタの各ゲートは，前記第１トランジスタのゲートに電気的に接続され，
前記複数の第２トランジスタの各ソースは，前記第１トランジスタのソースに電気的に接続されることを特徴とする請求項１３に記載の電流範囲制御回路。
【請求項１９】
前記複数の第２トランジスタのチャンネル幅はすべて同一であり，前記複数の第２トランジスタのチャンネル長さはすべて同一であることを特徴とする請求項１３に記載の電流範囲制御回路。
【請求項２０】
前記スイッチング回路は複数の第４トランジスタを含み，
前記複数の第４トランジスタの各ソースには，前記複数の第２トランジスタのドレインから出力される電流がそれぞれ印加され，
前記複数の第４トランジスタの各ゲートには，前記電流範囲制御信号がそれぞれ印加され，
前記複数の第４トランジスタの各ドレインは，相互に接続されて前記データ電流を出力することを特徴とする請求項１３に記載の電流範囲制御回路。
【請求項２１】
前記スイッチング回路は複数の第４トランジスタを含み，
前記複数の第４トランジスタの各ソースには，前記複数の第２トランジスタのドレインから出力される電流がそれぞれ印加され，
前記複数の第４トランジスタのいずれか一つは，オンの状態となるようにゲートに所定の電圧が印加され，
前記複数の第４トランジスタの前記いずれか一つ以外の各ゲートには，前記電流範囲制御信号がそれぞれ印加され，
前記複数の第４トランジスタの各ドレインは，相互に接続されて前記データ電流を出力することを特徴とする請求項１３に記載の電流範囲制御回路。
【発明の詳細な説明】
【技術分野】
【０００１】
本発明は，データ駆動部，発光表示装置，及び電流範囲制御回路に関する。
【背景技術】
【０００２】
最近，陰極線管の短所である重さと容積を減らすことができる各種の平板表示装置が開発されている。このような軽量化及び小型化された平板表示装置としては，例えば，液晶表示装置，電界放出表示装置，プラズマディスプレイパネル，または発光表示装置などを挙げることができる。
【０００３】
上記のような平板表示装置のうち，発光表示装置は，電子と正孔の再結合によって蛍光物質を発光させる自発光素子を含む。かかる発光表示装置は，材料及び構造によって無機物の発光層を含む無機発光表示装置と，有機物の発光層を含む有機発光表示装置とに大別することができる。
【０００４】
ここで，有機発光表示装置を，特に有機電界発光表示装置と称する場合もある。このような発光表示装置は，液晶表示装置のような別途の光源を必要とする受動型発光素子と比較すると，応答速度が速いといった長所を有し，例えば陰極線管のような応答速度を提供することができる。
【０００５】
発光表示装置の駆動方式としては，一般的には，受動マトリックス方式と能動マトリックス方式が知られている。このうち，受動マトリックス方式は，陽極と陰極とを相互に直交するように形成して，ラインを選択して駆動を行う方式である。一方，能動マトリックス（アクティブマトリックス）方式は，能動（アクティブ）素子を利用して発光素子に流れる電流量を制御する方式である。
【０００６】
能動素子としては，一般的には，薄膜トランジスタ（ＴＦＴ：Ｔｈｉｎ  Ｆｉｌｍ  Ｔｒａｎｓｉｓｔｏｒ）が使われることが多い。能動マトリックス方式は，受動マトリックス方式と比較するとその制御などが多少複雑ではあるが，消費電力を抑制することができ，素子の発光時間を長くすることができるといった長所がある。
【０００７】
かかる発光表示装置において，能動素子へのデータの書き込み方式としては，一般的には，電圧書き込み方式（ｖｏｌｔａｇｅ  ｐｒｏｇｒａｍｍｉｎｇ  ｍｅｔｈｏｄ）と電流書き込み方式（ｃｕｒｒｅｎｔ  ｐｒｏｇｒａｍｍｉｎｇ  ｍｅｔｈｏｄ）とが知られている。
【０００８】
電圧書き込み方式は，データ駆動部がデータ信号に対応する電圧を出力し，画素に内蔵されたキャパシタが上記出力された電圧に対応する電圧を格納し，発光素子が上記格納された電圧に対応して発光する方式である。このような電圧書き込み方式は，液晶表示装置などで使われるデータ駆動部をそのまま発光表示装置にも応用して使用することができるという長所があるが，能動素子で使われるＴＦＴのしきい値電圧と移動度などの偏差によって均一な画面を表現しにくいという短所がある。
【０００９】
一方，電流書き込み方式は，データ駆動部がデータ信号に対応する電流を出力し，画素に内蔵されたキャパシタが上記出力された電流に対応する電圧を格納し，発光素子が上記格納された電圧に対応して発光する方式である。このような電流書き込み方式は，ＴＦＴのしきい値電圧と移動度の偏差を容易に補償して均一な画面を表現することができるという長所がある一方で，データ信号に対応する電流を出力することのできるデータ駆動部の開発が必要となる。
【００１０】
上記のようなデータ駆動部としては，ミラー回路を含み，かかるミラー回路に含まれるトランジスタの偏差を補正して安定した出力電流を得るようにしたものがある（例えば，特許文献１参照。）。
【００１１】
【特許文献１】米国特許第６，７８８，２３１号明細書
【発明の開示】
【発明が解決しようとする課題】
【００１２】
しかし，上記のような電流書き込み方式におけるデータ駆動部においては，出力しなければならないデータ電流の範囲が，採用する画素回路の特性に応じて異なることになる。例えば，データ電流と同じ大きさの電流を発光素子に伝達する画素回路を採用した発光表示装置の場合には，データ駆動部から出力されるデータ電流の範囲としてはそれほど大きい範囲を要求されない。一方，Ｍ：１ミラーを利用することによりデータ電流の大きさが発光素子に流れる電流の大きさのＭ倍である場合には，データ電流の１／Ｍの大きさの電流が発光素子に伝達されるので，データ駆動部から出力されるデータ電流の範囲としては相対的に大きい範囲が要求される。
【００１３】
更に，発光素子の種類によって発光効率が異なる場合は，異なるデータ電流の範囲が要求される場合もある。このように，画素回路の種類または発光素子の種類によって，データ駆動部から出力されるデータ電流に要求される電流範囲が異なると，画素回路を変更する度に，または発光素子を変更する度に別途のデータ駆動部を設計しなければならないという問題があった。
【００１４】
そこで，本発明はこのような問題に鑑みてなされたもので，その目的とするところは，データ電流の範囲を調節することができるデータ駆動部，発光表示装置，及び電流範囲制御回路を提供することにある。
【課題を解決するための手段】
【００１５】
上記課題を解決するために，本発明のある観点によれば，水平クロック信号及び水平同期信号に対応してラッチ制御信号を出力するシフトレジスターと，上記ラッチ制御信号に基づいて順次入力されるビデオデータを並列に出力するデータラッチと，上記データラッチの出力をアナログ電流に変換して出力するＤ／Ａ変換器と，上記Ｄ／Ａ変換器から出力される電流の範囲を電流範囲制御信号に応じて調節してデータ電流として出力する電流範囲制御回路と，を含むことを特徴とするデータ駆動部が提供される。
【００１６】
このような本発明にかかるデータ駆動部によれば，上記データ駆動部から出力されるデータ電流の範囲を電流範囲制御信号に応じて調節することができる。従って，例えば上記データ駆動部を発光表示装置に用いる場合，発光表示装置に用いられる画素回路や発光素子の特性が異なったとしても，上記電流範囲制御信号の値を変更すれば，同一のデータ駆動部を適用することができる。ここで，上記データラッチにはデジタルビデオ信号が入力されてラッチされ，上記ラッチされたデジタルビデオ信号は所定のタイミングで画素単位に並列に出力されて上記Ｄ／Ａ変換機に入力されることができる。
【００１７】
このとき，上記データ駆動部から出力される上記データ電流の値は，上記Ｄ／Ａ変換器から出力される電流値と比例し，その比例定数は上記電流範囲制御信号によって決定されるようにするのがよい。
【００１８】
また，上記電流範囲制御回路は，第１トランジスタ及び上記第１トランジスタとミラー型に接続される複数の第２トランジスタを含むミラー回路と；上記複数の第２トランジスタのドレインから出力される電流を上記電流範囲制御信号に応じて選択的に伝達し，伝達された上記電流を合算して上記データ電流として出力するスイッチング回路と；を含むように構成されるのがよい。かかる構成とすることにより，上記ミラー回路の第２トランジスタからは上記第１トランジスタに流れる電流に比例する複数の電流が出力されて，かかる出力電流のうち少なくともいずれかが上記スイッチング回路にて合算されて上記データ電流として上記データ駆動部から出力されることができる。
【００１９】
また，上記電流範囲制御回路は，負帰還ループを形成することによって上記第１トランジスタのドレイン電圧と上記複数の第２トランジスタのドレイン電圧を一致させる負帰還回路を更に含むように構成されることもできる。かかる負帰還回路を設けて上記ミラー回路の複数の第２トランジスタのドレイン電圧が上記ミラー回路の第１トランジスタのドレイン電圧と一致するようにすれば，上記複数の第２トランジスタに流れる電流を上記第１トランジスタに流れる電流と比例させるかまたは一致させる動作が正確になされるようになる。このとき，上記負帰還回路は，上記複数の第２トランジスタに各ソースがそれぞれ接続され，上記スイッチング回路に各ドレインがそれぞれ接続されて，上記複数の第２トランジスタから出力される電流を上記スイッチング回路に伝達する複数の第３トランジスタと；正（陽）の入力端が上記第１トランジスタのドレインに接続され，負（陰）の入力端が上記複数の第２トランジスタのいずれか一つのドレインに接続され，出力端が上記複数の第３トランジスタのゲートに接続された演算増幅器と；を含むように構成されるのがよい。
【００２０】
また，上記負帰還回路は，上記演算増幅器の出力端と負の入力端との間に接続されるキャパシタを更に含むように構成されることもできる。かかるキャパシタは，上記演算増幅器の出力から高周波ノイズを除去することができる。
【００２１】
また，上記ミラー回路は，上記第１トランジスタのドレインには上記Ｄ／Ａ変換器から出力される電流が印加され，上記第１トランジスタのドレインとゲートは電気的に接続され，上記複数の第２トランジスタの各ゲートは上記第１トランジスタのゲートに電気的に接続され，上記複数の第２トランジスタの各ソースは上記第１トランジスタのソースに電気的に接続されるように構成されるのがよい。
【００２２】
また，上記スイッチング回路は複数の第４トランジスタを含み，上記複数の第４トランジスタの各ソースには上記複数の第２トランジスタのドレインから出力される電流がそれぞれ印加され，上記複数の第４トランジスタの各ゲートには上記電流範囲制御信号がそれぞれ印加され，上記複数の第４トランジスタの各ドレインは相互に接続されて上記データ電流を出力するように構成されるのがよい。
【００２３】
あるいは，上記スイッチング回路は複数の第４トランジスタを含み，上記複数の第４トランジスタの各ソースには上記複数の第２トランジスタのドレインから出力される電流がそれぞれ印加され，上記複数の第４トランジスタのいずれか一つはオンの状態となるようにゲートに所定の電圧が印加され，上記複数の第４トランジスタの上記いずれか一つ以外のトランジスタの各ゲートには上記電流範囲制御信号がそれぞれ印加され，上記複数の第４トランジスタの各ドレインは相互に接続されて上記データ電流を出力するように構成することもできる。
【００２４】
上記課題を解決するために，本発明の別の観点によれば，複数の走査線に走査信号を順次印加する走査駆動部と，複数のデータ線に電流範囲制御信号に応じてその範囲が調節されたデータ電流を印加するデータ駆動部と，上記複数の走査線に印加された走査信号及び上記複数のデータ線に印加されたデータ電流によって画像を表示する画像表示部と，を含むことを特徴とする発光表示装置が提供される。
【００２５】
このような本発明にかかる発光表示装置によれば，複数のデータ線に印加される上記データ電流の範囲は，上記電流範囲制御信号の値を変更することにより上記データ駆動部で調節することができる。従って，上記発光表示装置の画像表示部に用いられる画素回路や発光素子の特性が異なったとしても，上記電流範囲制御信号の値を変更して上記データ電流の範囲を調整すれば，種々の画素回路または発光素子を有する発光表示装置において同一のデータ駆動部を適用することができる。
【００２６】
このとき，上記発光表示装置は，走査駆動部制御信号を上記走査駆動部に伝達し，データ駆動部制御信号を上記データ駆動部に伝達し，ビデオデータを上記データ駆動部に伝達するタイミング制御部を更に含むことができる。
【００２７】
また，上記データ駆動部は，上記請求項１〜９のいずれか１項に記載のデータ駆動部であることができる。
【００２８】
上記課題を解決するために，本発明の別の観点によれば，第１トランジスタ及び上記第１トランジスタとミラー型に接続される複数の第２トランジスタを含むミラー回路と；上記複数の第２トランジスタのドレインから出力される電流を上記電流範囲制御信号に応じて選択的に伝達し，伝達された上記電流を合算してデータ電流として出力するスイッチング回路と；を含むことを特徴とする電流範囲制御回路が提供される。
【００２９】
このような本発明にかかる電流範囲制御回路によれば，上記ミラー回路の第２トランジスタからは上記第１トランジスタに流れる電流に比例する複数の電流が出力されて，かかる出力電流のうち少なくともいずれかが選択的に上記スイッチング回路にて合算されてデータ電流として出力されるので，出力されるデータ電流の範囲を調整することが可能となる。例えば，合算対象となる電流値を上記電流範囲制御信号によって選択するように構成して，出力されるデータ電流の値を調整することができる。
【００３０】
ここで，上記電流範囲制御回路は，負帰還ループを形成することによって上記第１トランジスタのドレイン電圧と上記複数の第２トランジスタのドレイン電圧を一致させる負帰還回路を更に含むことができる。かかる負帰還回路を設けて上記ミラー回路の複数の第２トランジスタのドレイン電圧が上記ミラー回路の第１トランジスタのドレイン電圧と一致するようにすれば，上記複数の第２トランジスタに流れる電流を上記第１トランジスタに流れる電流と比例させるかまたは一致させる動作が正確になされるようになる。このとき，上記負帰還回路は，上記複数の第２トランジスタに各ソースがそれぞれ接続され，上記スイッチング回路に各ドレインがそれぞれ接続されて，上記複数の第２トランジスタから出力される電流を上記スイッチング回路に伝達する複数の第３トランジスタと；正（陽）の入力端が上記第１トランジスタのドレインに接続され，負（陰）の入力端が上記複数の第２トランジスタのいずれか一つのドレインに接続され，出力端が上記複数の第３トランジスタのゲートに接続された演算増幅器と；を含むように構成されるのがよい。
【００３１】
また，上記負帰還回路は，上記演算増幅器の出力端と負の入力端との間に接続されるキャパシタを更に含むように構成されることもできる。かかるキャパシタは，上記演算増幅器の出力から高周波ノイズを除去することができる。
【００３２】
このとき，上記複数の第３トランジスタのチャンネル幅はすべて同一であり，上記複数の第３トランジスタのチャンネル長さはすべて同一であるのがよい。
【００３３】
また，上記ミラー回路は，上記第１トランジスタのドレインには上記Ｄ／Ａ変換器から出力される電流が印加され，上記第１トランジスタのドレインとゲートは電気的に接続され，上記複数の第２トランジスタの各ゲートは上記第１トランジスタのゲートに電気的に接続され，上記複数の第２トランジスタの各ソースは上記第１トランジスタのソースに電気的に接続されるように構成されるのがよい。
【００３４】
このとき，上記複数の第２トランジスタのチャンネル幅はすべて同一であり，上記複数の第２トランジスタのチャンネル長さはすべて同一であるのがよい。
【００３５】
また，上記スイッチング回路は複数の第４トランジスタを含み，上記複数の第４トランジスタの各ソースには上記複数の第２トランジスタのドレインから出力される電流がそれぞれ印加され，上記複数の第４トランジスタの各ゲートには上記電流範囲制御信号がそれぞれ印加され，上記複数の第４トランジスタの各ドレインは相互に接続されて上記データ電流を出力するように構成されるのがよい。
【００３６】
あるいは，上記スイッチング回路は複数の第４トランジスタを含み，上記複数の第４トランジスタの各ソースには上記複数の第２トランジスタのドレインから出力される電流がそれぞれ印加され，上記複数の第４トランジスタのいずれか一つはオンの状態となるようにゲートに所定の電圧が印加され，上記複数の第４トランジスタの上記いずれか一つ以外のトランジスタの各ゲートには上記電流範囲制御信号がそれぞれ印加され，上記複数の第４トランジスタの各ドレインは相互に接続されて上記データ電流を出力するように構成することもできる。
【発明の効果】
【００３７】
本発明によれば，データ駆動部の電流範囲制御回路から出力されるデータ電流の範囲を電流範囲制御信号によって調節することができるので，多様な画素回路または発光素子に対して電流範囲制御信号のみを変更して同一構成のデータ駆動部を適用することができるデータ駆動部，発光表示装置，及び電流範囲制御回路を提供できるものである。
【００３８】
また，本発明によるデータ駆動部，発光表示装置，及び電流範囲制御回路は，簡単に電流範囲を制御することができる。更に，ミラー構造を形成する複数のトランジスタの各ドレイン電圧を一致させることによって正確な電流値を得ることができるという長所も有する。
【発明を実施するための最良の形態】
【００３９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４０】
先ず，本発明の実施の形態にかかる発光表示装置について説明する。図１は，本発明の実施の形態にかかる発光表示装置の概略構成を示す図である。
【００４１】
図１を参照すれば，発光表示装置は，走査駆動部１００，データ駆動部２００，画像表示部３００，及びタイミング制御部５００を含んで構成される。
【００４２】
走査駆動部１００は，走査線Ｓ１〜Ｓｎを駆動させることができる。このような走査駆動部１００は，走査駆動部制御信号ＳＣＳに応答して走査信号を生成し，生成された走査信号を走査線Ｓ１〜Ｓｎに順次供給することができる。
【００４３】
データ駆動部２００は，データ線Ｄ１〜Ｄｍを駆動させることができる。このようなデータ駆動部２００は，データ駆動部制御信号ＤＣＳ及びビデオデータＤａｔａに応答してデータ電流を生成し，生成されたデータ電流をデータ線Ｄ１〜Ｄｍに供給することができる。また，データ駆動部２００の出力電流の範囲は，電流範囲制御信号Ｃｔｒｌによって調節することができる。
【００４４】
画像表示部３００は，走査線Ｓ１〜Ｓｎ及びデータ線Ｄ１〜Ｄｍによって定義された複数の画素４００を含む。また，画像表示部３００は，外部から第１電源電圧ＶＤＤ及び第２電源電圧ＶＳＳの印加を受ける。ここで，第１電源電圧ＶＤＤ及び第２電源電圧ＶＳＳは，それぞれの画素４００に伝達される。それぞれの画素４００は，自身に供給されるデータ電流に対応する画像を表示することができる。
【００４５】
タイミング制御部５００は，走査駆動部制御信号ＳＣＳを走査駆動部１００に供給し，また，データ駆動部制御信号ＤＣＳ及びビデオデータＤａｔａをデータ駆動部２００に供給することができる。
【００４６】
次に，本発明の実施の形態にかかるデータ駆動部について説明する。図２は，図１の発光表示装置に適用されるデータ駆動部の一例を示す図である。
【００４７】
図２を参照すれば，データ駆動部２００は，シフトレジスター２１０，データラッチ２２０，Ｄ／Ａ変換器２３０，及び電流範囲制御回路２４０を含んで構成されることができる。
【００４８】
シフトレジスター２１０は，水平クロック信号ＨＣＬＫ及び水平同期信号ＨＳＹＮＣに対応してデータラッチ２２０を制御する機能を有する。水平クロック信号ＨＣＬＫ及び水平同期信号ＨＳＹＮＣは，図１に示すデータ駆動部制御信号ＤＣＳの一種であることができる。
【００４９】
データラッチ２２０には，ビデオデータＤａｔａが順次入力され，入力されたビデオデータＤａｔａは所定のタイミングで画素単位に並列的にＤ／Ａ変換器２３０に出力される。データラッチ２２０は，シフトレジスター２１０から出力される制御信号によって制御されることができる。各ビデオデータＤａｔａは，青，緑及び赤のビデオデータを含むことができる。あるいは，各ビデオデータＤａｔａは，青，緑，赤及び白のビデオデータを含むこともできる。
【００５０】
データラッチ２２０は，シフトレジスター２１０から出力される制御信号によって制御されて順次入力されるビデオデータＤａｔａを，画素単位に並列的に出力するサンプリングラッチ（図示せず）と，上記サンプリングラッチから並列的に出力されるデータを入力されて１フレーム期間中維持するホルディングラッチ（図示せず）とで構成することもできる。
【００５１】
Ｄ／Ａ変換器２３０は，データラッチ２２０から並列的に出力される信号をアナログの電流に変換して出力することができる。
【００５２】
電流範囲制御回路２４０は，電流範囲制御信号ＣｔｒｌによってＤ／Ａ変換器２３０から出力される電流の範囲を調節したデータ電流をデータ線Ｄ１〜Ｄｍに出力することができる。電流範囲制御回路２４０から出力される電流の値は，Ｄ／Ａ変換器２３０から出力される電流の値に比例するのがよいが，その比例定数は電流範囲制御信号Ｃｔｒｌによって決定されることができる。
【００５３】
この場合，例えば，電流範囲制御信号Ｃｔｒｌに複数のモードを設けることができる。具体例を挙げると，電流範囲制御回路２４０は，電流範囲制御信号Ｃｔｒｌが第１モードの場合には，Ｄ／Ａ変換器２３０から出力される電流の２倍にあたる電流を出力することができるようにする。そして，電流範囲制御信号Ｃｔｒｌが第２モードの場合には，電流範囲制御回路２４０はＤ／Ａ変換器２３０から出力される電流の１．５倍にあたる電流を出力し，電流範囲制御信号Ｃｔｒｌが第３モードの場合には，電流範囲制御回路２４０はＤ／Ａ変換器２３０から出力される電流の１倍にあたる電流を出力し，電流範囲制御信号Ｃｔｒｌが第４モードの場合には，電流範囲制御回路２４０はＤ／Ａ変換器２３０から出力される電流の  ０．５倍にあたる電流を出力することができるようにする。上に述べたのは，電流範囲制御信号Ｃｔｒｌを用いて電流範囲制御回路２４０から出力される電流範囲を調整する方法の一例である。
【００５４】
電流範囲制御回路２４０が上記のように動作することで，図２に表現されたデータ駆動部２００は，ビデオデータＤａｔａに対応するデータ電流をデータ線Ｄ１〜Ｄｍに出力するが，このとき，範囲が調節されたデータ電流を出力することができる。
【００５５】
次に，本発明の実施の形態にかかる電流範囲制御回路について説明する。図３は，図２のデータ駆動部２００に適用される電流範囲制御回路２４０の一例を示す図である。
【００５６】
図３を参照すれば，電流範囲制御回路２４０は，ミラー回路２４１，負帰還回路（副軌環回路）２４２及びスイッチング回路２４３を含んで構成される。
【００５７】
ミラー回路２４１は，第１トランジスタＭ１及び第１トランジスタＭ１とミラー型に接続される複数の第２トランジスタＭ２（１）〜Ｍ２（４）を含むことができる。
【００５８】
第１トランジスタＭ１のソースには，アナログ第１電源電圧ＡＶｄｄが印加される。ドレインとゲートは電気的に連結され，ドレインにはＤ／Ａ変換器２３０から出力される電流Ｉｄａｃが印加される。
【００５９】
複数の第２トランジスタＭ２（１）〜Ｍ２（４）の各ソースには，アナログ第１電源電圧ＡＶｄｄが印加され，各ゲートは第１トランジスタＭ１のゲートに電気的に接続される。複数の第２トランジスタＭ２（１）〜Ｍ２（４）のそれぞれは，第１トランジスタＭ１とともに電流ミラーを形成することができる。
【００６０】
したがって，複数の第２トランジスタＭ２（１）〜Ｍ２（４）に流れる電流Ｉ１〜Ｉ４は，第１トランジスタＭ１に流れる電流Ｉｄａｃに比例し，比例する程度は複数の第２トランジスタＭ２（１）〜Ｍ２（４）のチャンネルの幅対長さの比と，第１トランジスタＭ１のチャンネルの幅対長さの比によって決定される。このような構成により，ミラー回路２４１は第１トランジスタＭ１に流れる電流Ｉｄａｃに比例する複数の電流Ｉ１〜Ｉ４をスイッチング回路２４３に伝達することができる。
【００６１】
負帰還回路２４２は，複数の第３トランジスタＭ３（１）〜Ｍ３（４），演算増幅器ＡＭＰ及びキャパシタＣを含んで構成されることができる。
【００６２】
演算増幅器ＡＭＰの正（陽）の入力端＋は，第１トランジスタＭ１のドレインに接続され，負（陰）の入力端−は，複数の第２トランジスタＭ２（１）〜Ｍ２（４）のいずれか一つのトランジスタのドレインに接続される。また，演算増幅器ＡＭＰの出力端は，複数の第３トランジスタＭ３（１）〜Ｍ３（４）のゲートに接続される。
【００６３】
複数の第３トランジスタＭ３（１）〜Ｍ３（４）の各ソースは，複数の第２トランジスタＭ２（１）〜Ｍ２（４）の各ドレインに接続され，複数の第３トランジスタＭ３（１）〜Ｍ３（４）の各ドレインはスイッチング回路２４３に接続される。
【００６４】
キャパシターＣは，演算増幅器ＡＭＰの出力端と負の入力端との間に接続されて，演算増幅器ＡＭＰの出力の高周波ノイズをとり除く役割りを果たす。
【００６５】
負帰還回路２４２は，負帰還ループを形成することにより，第１トランジスタＭ１のドレインと複数の第２トランジスタＭ２（１）〜Ｍ２（４）のドレインの電圧を一致させる機能を有する。例えば，複数の第２トランジスタＭ２（１）〜Ｍ２（４）のうち，一つのトランジスタのドレイン電圧が第１トランジスタＭ１のドレイン電圧よりも大きくなる場合を例にとって説明する。この場合，演算増幅器ＡＭＰの出力端の電圧は低くなり，これによりゲートが演算増幅器ＡＭＰの出力端にそれぞれ連結された複数の第３トランジスタＭ３（１）〜Ｍ３（４）の電流駆動能力が落ちるので，複数の第２トランジスタＭ２（１）〜Ｍ２（４）のドレイン電圧を小さくすることができる。負帰還回路２４２では，上記のような原理のもとに負帰還が成り立つことができる。
【００６６】
一般的に，トランジスタに流れる電流は，ゲート−ソース間の電圧のみならず，ドレイン−ソース間の電圧によっても影響を受ける場合があるので，このように複数の第２トランジスタＭ２（１）〜Ｍ２（４）のドレイン電圧を第１トランジスタＭ１のドレイン電圧と一致させるようにすれば，複数の第２トランジスタＭ２（１）〜Ｍ２（４）に流れる電流を第１トランジスタＭ１に流れる電流と正確に，一致させるかまたは比例させることが可能となる。
【００６７】
負帰還回路２４２は，付加的な回路である。従って，負帰還環回路２４２なしに，複数の第２トランジスタＭ２（１）〜Ｍ２（４）が直接スイッチング回路２４３に接続されるような構成の場合でも，電流範囲制御回路２４０は正常に動作することが可能である。
【００６８】
スイッチング回路２４３は，複数の第４トランジスタＭ４（１）〜Ｍ４（４）を含んで構成される。複数の第４トランジスタＭ４（１）〜Ｍ４（４）のソースは負帰還回路２４２またはミラー回路２４１に接続されて，ミラー回路２４１から出力される電流Ｉ１〜Ｉ４を入力される。複数の第４トランジスタＭ４（１）〜Ｍ４（４）のゲートには，電流範囲制御信号Ｃｔｒｌ１〜Ｃｔｒｌ４が印加され，複数の第４トランジスタＭ４（１）〜Ｍ４（４）は，電流範囲制御信号Ｃｔｒｌ１〜Ｃｔｒｌ４によって入力を受けた電流Ｉ１〜Ｉ４を選択的に伝達することができる。
【００６９】
複数の第４トランジスタＭ４（１）〜Ｍ４（４）のドレインは，相互に連結されて，伝達された電流を合算してデータ電流Ｉｄａｔａとして出力する。したがって，スイッチング回路２４３は電流範囲制御信号Ｃｔｒｌ１〜Ｃｔｒｌ４によってミラー回路２４１から出力された電流を選択的に伝達し，伝達された電流を合算してデータ電流Ｉｄａｔａとして出力する機能を遂行することができる。
【００７０】
ここで，複数の第４トランジスタＭ４（１）〜Ｍ４（４）のうちいずれかひとつのトランジスタのゲートには，ローレベルの電圧が印加されて常にオンの状態を維持し，残りのトランジスタのみに電流範囲制御信号Ｃｔｒｌが印加されるように構成することもできる。
【００７１】
またこのとき，複数の第２トランジスタＭ２（１）〜Ｍ２（４）のチャンネルの幅は等しく，複数の第２トランジスタＭ２（１）〜Ｍ２（４）のチャンネルの長さは同一であるのがよい。また，複数の第３トランジスタＭ３（１）〜Ｍ３（４）のチャンネルの幅は等しく，複数の第３トランジスタＭ３（１）〜Ｍ３（４）のチャンネルの長さは同一であるのがよい。
【００７２】
このように，図３に示された電流範囲制御回路２４０は，上記のように動作することで，簡単にデータ電流Ｉｄａｔａの範囲を制御することができる。さらに，複数の第２トランジスタＭ２（１）〜Ｍ２（４）とそれぞれ直列に連結される複数の第３トランジスタＭ３（１）〜Ｍ３（４）及び演算増幅器ＡＭＰを利用して，複数の第２トランジスタＭ２（１）〜Ｍ２（４）のドレイン電圧を第１トランジスタＭ１のドレイン電圧と一致させることにより，より正確な電流値を提供することができる。
【００７３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７４】
本発明は，データ駆動部，発光表示装置，及び電流範囲制御回路に適用可能であり，特にアクティブマトリックス駆動方式の発光表示装置，上記発光表示装置のデータ駆動部，及び上記データ駆動部の電流範囲制御回路に適用可能である。
【図面の簡単な説明】
【００７５】
【図１】本発明の実施の形態にかかる発光表示装置の構成を概略的に示す図である。
【図２】図１の発光表示装置に含まれるデータ駆動部の一実施形態を概略的に示す図である。
【図３】図２のデータ駆動部に含まれる電流範囲制御回路の一実施形態を概略的に示す図である。
【符号の説明】
【００７６】
１００      走査駆動部
２００      データ駆動部
３００      画像表示部
４００      画素
５００      タイミング制御部
２１０      シフトレジスター  
２２０      データラッチ
２３０      Ｄ／Ａ変換器
２４０      電流範囲制御回路
２４１      ミラー回路
２４２      負帰還回路
２４３      スイッチング回路
Ｃｔｒｌ    電流範囲制御信号
Ｄ１〜Ｄｍ  データ線
Ｓ１〜Ｓｎ  走査線
Ｉｄａｔａ  データ電流
ＨＣＬＫ    水平クロック信号
ＨＳＹＮＣ  水平同期信号
Ｄａｔａ    ビデオデータ
ＤＣＳ      データ駆動部制御信号
ＳＣＳ      走査駆動部制御信号
ＡＶｄｄ    アナログ第１電源電圧
ＶＤＤ      第１電源電圧
ＶＳＳ      第２電源電圧
Ｉｄａｃ    Ｄ／Ａ変換器の出力電流
ＡＭＰ      演算増幅器
Ｃ          キャパシタ
【図１】
2006146170.tif 000003
【図２】
2006146170.tif 000004
【図３】
2006146170.tif 000005